(57)【要約】      （修正有）【課題】マルチメディアコンテンツをライブ配信するライブ配信サーバ、ライブ配信方法及びプログラムに関し、特に、ライブの配信者をアシストすることができるライブ配信サーバ、ライブ配信方法及びプログラムを提供する。【解決手段】ライブ配信サーバ１００に接続するライブ配信者１０が配信を開始した際、ライブ配信サーバ１００と交信中のライブ配信者端末１１に対して、テーマデーターベース１０３から選択された、テーマに相応しいコメントを自動でアシストする。また、ライブ配信サーバ１００に接続するライブ配信者１０が配信を開始した際、ライブ配信サーバ１００と交信中のライブ配信者端末１１にライブ配信者１０が発言する内容を音声認識データーベース１０５で認識し、ＡＩテーマデーターベース１０４から相応しいコメントを自動でアシストする。【選択図】図１
2019169976.tif 000002
【特許請求の範囲】
【請求項１】
コンテンツをライブ配信するライブ配信サーバと、該ライブ配信サーバを介してコンテンツをライブ配信するライブ配信者の端末と、ライブ配信されるコンテンツを閲覧するライブ閲覧者の端末とが通信ネットワークで接続されたライブ配信システムにおける前記ライブ配信サーバであって、
前記ライブ配信者の端末に、テーマに相応しいコメントを自動でアシストすることを特徴とするライブ配信サーバ。
【請求項２】
コンテンツをライブ配信するライブ配信サーバと、該ライブ配信サーバを介してコンテンツをライブ配信するライブ配信者の端末と、ライブ配信されるコンテンツを閲覧するライブ閲覧者の端末とが通信ネットワークで接続されたライブ配信システムにおける前記ライブ配信サーバであって、
前記ライブ配信者が、前記ライブ配信者端末に発言した内容を、前記ライブ配信サーバに繋がるＡＩ（人工知能）が認識し、相応しいコメントを自動でアシストすることを特徴とするライブ配信サーバ。
【請求項３】
コンテンツをライブ配信するライブ配信サーバと、該ライブ配信サーバを介してコンテンツをライブ配信するライブ配信者の端末と、ライブ配信されるコンテンツを閲覧するライブ閲覧者の端末とが通信ネットワークで接続されたライブ配信システムにおける前記ライブ配信サーバであって、
前記ライブ配信者の端末に、スタンプ、効果音、コミュニケーションツールを自動でアシストすることを特徴とするライブ配信サーバ。
【請求項４】
コンテンツをライブ配信するライブ配信サーバと、該ライブ配信サーバを介してコンテンツをライブ配信するライブ配信者の端末と、ライブ配信されるコンテンツを閲覧するライブ閲覧者の端末とが通信ネットワークで接続されたライブ配信システムにおける前記ライブ配信サーバであって、
前記ライブ配信者が、前記ライブ配信者端末に音声で指示した内容を音声認識し、ライブ配信者端末から操作する、ライブ配信にかかわる機能を音声でアシストすることを特徴とするライブ配信サーバ。
【請求項５】
コンテンツをライブ配信するライブ配信サーバと、該ライブ配信サーバを介してコンテンツをライブ配信するライブ配信者の端末と、ライブ配信されるコンテンツを閲覧するライブ閲覧者の端末とが通信ネットワークで接続されたライブ配信システムにおける前記ライブ配信サーバであって、
前記ライブ配信者が、前記ライブ配信者端末に入力した画像を顔認識システムが識別し、相応しいコメントを自動でアシストすることを特徴とするライブ配信サーバ。
【請求項６】
コンテンツをライブ配信するライブ配信サーバと、該ライブ配信サーバを介してコンテンツをライブ配信するライブ配信者の端末と、ライブ配信されるコンテンツを閲覧するライブ閲覧者の端末とが通信ネットワークで接続されたライブ配信システムにおける前記ライブ配信サーバであって、
前記ライブ配信者が、前記ライブ配信者端末に入力した画像を顔認識システムが識別し、前記ライブ配信サーバに繋がるＡＩ（人工知能）が認識し、相応しいコメントを自動でアシストすることを特徴とするライブ配信サーバ。
【請求項７】
コンテンツをライブ配信するライブ配信サーバと、該ライブ配信サーバを介してコンテンツをライブ配信するライブ配信者の端末と、ライブ配信されるコンテンツを閲覧するライブ閲覧者の端末とが通信ネットワークで接続されたライブ配信システムにおける前記ライブ配信サーバであって、
前記ライブ配信者の端末に、その他のコメントを自動でアシストすることを特徴とするライブ配信サーバ。
【請求項８】
コンテンツをライブ配信するライブ配信サーバと、該ライブ配信サーバを介してコンテンツをライブ配信するライブ配信者の端末と、ライブ配信されるコンテンツを閲覧するライブ閲覧者の端末とが通信ネットワークで接続されたライブ配信システムにおける前記ライブ配信サーバであって、
前記ライブ配信サーバに接続する前記ライブ配信者が配信を開始した際、ライブ配信サーバと交信中のライブ配信者端末に対して、ライブ配信者端末のカメラでライブ配信者の表情を顔認識システムで認識し、ＡＩから相応しいコメントを自動でアシストすることを特徴とするライブ配信サーバ。
【請求項９】
コンテンツをライブ配信するライブ配信サーバと、該ライブ配信サーバを介してコンテンツをライブ配信するライブ配信者の端末と、ライブ配信されるコンテンツを閲覧するライブ閲覧者の端末とが通信ネットワークで接続されたライブ配信システムにおける前記ライブ配信サーバであって、
前記ライブ配信者の端末に、テーマに相応しいコメントを自動でアシストすることを特徴とするライブ配信方法。
【請求項１０】
コンテンツをライブ配信するライブ配信サーバと、該ライブ配信サーバを介してコンテンツをライブ配信するライブ配信者の端末と、ライブ配信されるコンテンツを閲覧するライブ閲覧者の端末とが通信ネットワークで接続されたライブ配信システムにおける前記ライブ配信サーバであって、
前記ライブ配信者が、前記ライブ配信者端末に発言した内容を、前記ライブ配信サーバに繋がるＡＩ（人工知能）が認識し、相応しいコメントを自動でアシストすることを特徴とするライブ配信方法。
【請求項１１】
コンテンツをライブ配信するライブ配信サーバと、該ライブ配信サーバを介してコンテンツをライブ配信するライブ配信者の端末と、ライブ配信されるコンテンツを閲覧するライブ閲覧者の端末とが通信ネットワークで接続されたライブ配信システムにおける前記ライブ配信サーバであって、
前記ライブ配信者の端末に、スタンプ、効果音、コミュニケーションツールを自動でアシストすることを特徴とするライブ配信方法。
【請求項１２】
コンテンツをライブ配信するライブ配信サーバと、該ライブ配信サーバを介してコンテンツをライブ配信するライブ配信者の端末と、ライブ配信されるコンテンツを閲覧するライブ閲覧者の端末とが通信ネットワークで接続されたライブ配信システムにおける前記ライブ配信サーバであって、
前記ライブ配信者が、前記ライブ配信者端末に音声で指示した内容を音声認識し、ライブ配信者端末から操作する、ライブ配信にかかわる機能を音声でアシストすることを特徴とするライブ配信方法。
【請求項１３】
コンテンツをライブ配信するライブ配信サーバと、該ライブ配信サーバを介してコンテンツをライブ配信するライブ配信者の端末と、ライブ配信されるコンテンツを閲覧するライブ閲覧者の端末とが通信ネットワークで接続されたライブ配信システムにおける前記ライブ配信サーバであって、
前記ライブ配信者が、前記ライブ配信者端末に入力した画像を顔認識システムが識別し、相応しいコメントを自動でアシストすることを特徴とするライブ配信方法。
【請求項１４】
コンテンツをライブ配信するライブ配信サーバと、該ライブ配信サーバを介してコンテンツをライブ配信するライブ配信者の端末と、ライブ配信されるコンテンツを閲覧するライブ閲覧者の端末とが通信ネットワークで接続されたライブ配信システムにおける前記ライブ配信サーバであって、
前記ライブ配信者が、前記ライブ配信者端末に入力した画像を顔認識システムが識別し、前記ライブ配信サーバに繋がるＡＩ（人工知能）が認識し、相応しいコメントを自動でアシストすることを特徴とするライブ配信方法。
【請求項１５】
コンテンツをライブ配信するライブ配信サーバと、該ライブ配信サーバを介してコンテンツをライブ配信するライブ配信者の端末と、ライブ配信されるコンテンツを閲覧するライブ閲覧者の端末とが通信ネットワークで接続されたライブ配信システムにおける前記ライブ配信サーバであって、
前記ライブ配信者の端末に、その他のコメントを自動でアシストすることを特徴とするライブ配信方法。
【請求項１６】
コンテンツをライブ配信するライブ配信サーバと、該ライブ配信サーバを介してコンテンツをライブ配信するライブ配信者の端末と、ライブ配信されるコンテンツを閲覧するライブ閲覧者の端末とが通信ネットワークで接続されたライブ配信システムにおける前記ライブ配信サーバであって、
前記ライブ配信サーバに接続する前記ライブ配信者が配信を開始した際、ライブ配信サーバと通信中のライブ配信者端末に対して、ライブ配信者端末のカメラでライブ配信者の表情を顔認識システムで認識し、ＡＩから相応しいコメントを自動でアシストすることを特徴とするライブ配信方法。
【請求項１７】
請求項１〜１６のいずれかに記載のシステムを機能させるためのコンピュータープログラム。
【発明の詳細な説明】
【技術分野】
【０００１】
本発明は、マルチメディアコンテンツをライブ配信するライブ配信サーバ、ライブ配信方法及びプログラムに関し、特に、ライブの配信者をアシストすることができるライブ配信サーバ、ライブ配信方法及びプログラムに関する。
【背景技術】
【０００２】
従来のライブ配信システムでは、ライブ配信者がライブを開始してからユーザー「リスナー」が参加するまでの間コメントなどのコミュニケーションを取ることができなかった。
【０００３】
ライブ配信者が初めて或いは毎度配信を行った際、配信を開始してからユーザー「リスナー」が参加するまでの間待機するしかなく、孤独であり無意味な発言を要し、この状態が初心のライブ配信者には極めて酷であり、それが原因でライブ配信を断念してしまうライブ配信者が多く見受けられた。
【０００４】
初心のライブ配信者は業者が提供するライブ配信サーバのシステムを認識するに至るまでには無音環境下において数多くのパネル操作をしなければならなかった。
【０００５】
ライブ配信者とユーザー「リスナー」にサービスを提供する業者において、新しいライブ配信者の継続的な確保を期待するところ、前記の事情が原因で新規アカウント数を増やすことが困難であった。
【発明の概要】
【発明が解決しようとする課題】
【０００６】
本発明は、このような問題を解決するためになされたもので、近年益々進化するライブコマースによる実演販売や次世代通信のインフラにより将来必要とされるライブ配信サーバ、ライブ配信方法及びプログラムを提供することを目的とする。従来のライブ配信システムでは、以下に示す課題がある。
（１）現行のライブ配信システムでは、ライブ配信者がライブを開始してからユーザー「リスナー」が参加するまでの間、一切コメントなどのコミュニケーションを取ることができず、独り言で配信するか放置するしかなかった。
（２）初心のライブ配信者が配信を行った際、ユーザー「リスナー」やフォロワーの数が少ないことは当然であるから、孤独であり無意味な発言を要し、この状態がライブ配信者には極めて酷であり、それが原因でライブ配信を断念してしまうことがあった。
（３）初心のライブ配信者は業者が提供するライブ配信サーバのシステムが理解できておらず、認識するに至るまでには相当な時間を要し、システムを認識するために無音環境下において数多くのパネル操作をしなければならなかった。
（４）ライブ配信者とユーザー「リスナー」に、ライブ配信サービスを提供する業者においては、新規ライブ配信者の登録や、継続的な利用を期待するところ、主に前述した（１）〜（３）が原因で利用者を増やすことは困難であった。
【課題を解決するための手段】
【０００７】
本発明は上記課題を解決するためになされたものであり、コンテンツをライブ配信するライブ配信サーバと、該ライブ配信サーバを介してコンテンツをライブ配信するライブ配信者の端末と、ライブ配信されるコンテンツを閲覧するライブ閲覧者の端末とが通信ネットワークで接続されたライブ配信システムにおける前記ライブ配信サーバであって、
ライブ配信サーバに接続するライブ配信者が配信を開始した際、ライブ配信サーバ或いはサービスを提供する業者のシステムから配信中の配信者に対して、テーマに相応しいコメントやその他の機能を自動でアシストする。これにより初めて或いは毎度配信を行う配信者らが無言配信する状態がなくなり、配信者の孤独かつ断念という難題が解消される。
【０００８】
また、本発明は、ライブ配信サーバが提供するプログラムの選択によりライブ配信のテーマに沿ったコメントをアシストすることで、例えば実演販売のようなライブコマースを潤滑に進行させることが可能であり、配信者が自動アシストに対応している状況に一般ユーザー「リスナー」が便乗して参加しやすくなる。
【０００９】
また、本発明のライブ配信サーバは、ライブ配信者が配信中の端末に備わるマイク機能を使用することが可能であるから、ライブ配信サーバのプログラムによりパネル操作を要さず、例えば「いいね」「フォロー」「その他の機能」などを音声操作することが可能であり、それによりライブ配信者の発言頻度が向上し、前述した課題の「孤独であり無意味な発言を要し、この状態が初心のライブ配信者には極めて酷」という難題が解消される。
【００１０】
また、本発明のライブ配信サーバは、ライブ配信者が配信中の端末に備わるマイク機能を使用することが可能であるから、ＡＩにより相応しいコメントをアシストすることでライブ配信者の発言頻度が向上し、前述した課題の「孤独であり無意味な発言を要し、この状態が初心のライブ配信者には極めて酷」という難題が解消される。
【００１１】
また、本発明のライブ配信サーバは、ライブ配信者が配信中の端末に備わるカメラ機能を使用することが可能であるから、ライブ配信サーバのプログラムにより顔認識システムを経由し、顔などの表情を認識し、ＡＩからライブ配信の感情面に配慮した相応しいコメントをアシストすることで、配信内容が粗末な結果とならず所謂ネット用語の炎上になる課題が解消される。
【発明の効果】
【００１２】
以上説明したように、本発明のライブ配信サーバ、ライブ配信方法及びプログラムにおいては、
コンテンツをライブ配信するライブ配信サーバと、該ライブ配信サーバを介してコンテンツをライブ配信するライブ配信者の端末と、ライブ配信されるコンテンツを閲覧するライブ閲覧者の端末とが通信ネットワークで接続されたライブ配信システムにおける前記ライブ配信サーバであって、
ライブ配信サーバに接続するライブ配信者が配信を開始した際、ライブ配信サーバ或いはサービスを提供する業者のシステムから配信中の配信者に対して、テーマに相応しいコメントやその他の機能を自動でアシストする。これにより初めて或いは毎度配信を行う配信者らが無言配信する状態がなくなり、配信者の孤独かつ断念という難題が解消され、ライブ配信を気軽に始めることができる。
【００１３】
また、本発明は、ライブ配信サーバが提供するプログラムの選択によりライブ配信のテーマに沿ったコメントをアシストすることで、例えば実演販売のようなライブコマースを潤滑に進行させることが可能であり、配信者がアシストに対応している状況に一般ユーザー「リスナー」が便乗して参加しやすくなる。結果フォロワーが増えるだけでなく、実演販売など、ライブコマースの課題遂行が可能となる。
【００１４】
また、本発明のライブ配信サーバは、ライブ配信者が配信中の端末に備わるマイク機能を使用することが可能であるから、ライブ配信サーバのプログラムによりパネル操作を要さず、例えば「いいね」「フォロー」「その他の機能」などを音声操作することが可能であり、ライブ配信者の発言頻度が向上し、前述した課題の「孤独であり無意味な発言を要し、この状態が初心のライブ配信者には極めて酷」という難題が解消される。
【００１５】
また、本発明のライブ配信サーバは、ライブ配信者が配信中の端末に備わるマイク機能を使用することが可能であるから、ＡＩにより相応しいコメントをアシストすることでライブ配信者の発言頻度が向上し、前述した課題の「孤独であり無意味な発言を要し、この状態が初心のライブ配信者には極めて酷」という難題が解消される。
【００１６】
また、本発明のライブ配信サーバは、ライブ配信者が配信中の端末に備わるカメラ機能を使用することが可能であるから、ライブ配信サーバのプログラムにより顔認識システムを経由し、顔などの表情を認識し、ＡＩからライブ配信の感情面に配慮した相応しいコメントをアシストすることで、配信内容が粗末な結果とならず所謂ネット用語の「炎上」になる課題が解消され、所謂ネット用語の「荒し」を減らすことができる。
【図面の簡単な説明】
【００１７】
【図１】ライブ配信システムのシステム構成例を示す図である。
【発明を実施するための形態】
【００１８】
次に本発明の実施の形態例について図面を参照して説明する。
本明細書で使用する用語について、ここで定義しておく。
・コンテンツとは、動画像、音声、テキスト、静止画像を指す。
・ライブ配信とは、ライブストリーミングによる、リアルタイム動画配信を指す。
・ライブ配信者とは、コンテンツを配信する者を指す。
・ユーザー「リスナー」とは、ライブ閲覧者を指す。
・顔認識システムとは、画像から、人を自動的に識別するためのコンピュータ用アプリケーションを指す。
・ＡＩとは、人工知能の分野を指す
・テーマデーターベースとは、各ライブ配信のテーマに合わせたコメントなどを検索や蓄積が容易にできるよう整理された情報の集まりを指す。
・音声認識データーベースとは、各ライブ配信者の音声に合わせたコメントなどを検索や蓄積が容易にできるよう整理された情報の集まりを指す。
・ＡＩデーターベースとは、各ライブ配信者のコンテンツ情報などを検索や蓄積が容易にできるよう整理された情報の集まりを指す。
・顔認識データーベースとは、各ライブ配信者の表情などを検索や蓄積が容易にできるよう整理された情報の集まりを指す。
【００１９】
［本発明の概要説明］
ライブ配信サーバに接続するライブ配信者が配信を開始した際、ユーザー「リスナー」が参加するまで待機しておく必要があった。また、配信内容が粗末であるため所謂ネット用語の「炎上」になることが多かった。そのため、以下に示すような形態のシステムが必要とされていた。
（１）ライブ配信者が配信を開始すると同時に、自動でアシストするシステム
（２）ライブ配信者の音声コメントに自動でアシストするシステム
（３）ライブ配信者の設定したテーマに相応しいコメントを自動でアシストするシステム
（４）ライブ配信者の表情にあわせて相応しいコメントを自動でアシストするシステム
【００２０】
［ライブ配信システムのシステム構成例］
図１は、本発明のライブ配信サーバを用いたライブ配信システムの構成例を示す図であり、本発明に直接関係する部分について示したものである。
ライブ配信サーバ１００に接続するライブ配信者１０が配信を開始した際、ライブ配信サーバ１００と交信中のライブ配信者端末１１に対して、テーマデーターベース１０３から選択された、テーマに相応しいコメントを自動でアシストする。また、ライブ配信サーバ１００に接続するライブ配信者１０が配信を開始した際、ライブ配信サーバ１００と通信中のライブ配信者端末１１にライブ配信者１０が発言する内容を音声認識データーベース１０５で認識し、ＡＩテーマデーターベース１０４から相応しいコメントを自動でアシストする。また、ライブ配信サーバ１００に接続するライブ配信者１０が配信を開始した際、ライブ配信サーバ１００と通信中のライブ配信者端末１１にライブ配信者１０が発言する内容を音声認識データーベース１０５で認識し、ライブ配信者端末１１でタッチパネル操作する機能を音声により操作しアシストする。また、ライブ配信サーバ１００に接続するライブ配信者１０が配信を開始した際、ライブ配信サーバ１００と通信中のライブ配信者端末１１に対して、ライブ配信者端末１１のカメラ１３でライブ配信者１０の表情を顔認識システムデータベース１０６で認識し、ＡＩテーマデーターベース１０４から相応しいコメントを自動でアシストする。
【産業上の利用可能性】
【００２１】
近年インターネットにおけるライブ配信によるライブコマースは、実演販売師やライブ配信者が急増すると思われ、経済活性及び社会貢献にもつながる課題であり、この発明は需要がある。
【符号の説明】
【００２２】
１    通信ネットワーク
１０  ライブ配信者（クライアント）
１１  ライブ配信者端末
１２  通信装置
１３  カメラ
１４  エンコード機能
１５  入力装置
１６  表示装置
１７  マイク
２０  ライブ閲覧者（クライアント）
２１  ライブ閲覧者端末
２２  通信装置
２３  メディア再生プレイヤー
２４  入力装置
２５  表示装置
１００  ライブ配信サーバ
１０１  通信装置
１０２  ライブ配信機能
１０３  テーマ（データベース）ＤＢ
１０４  ＡＩ（データベース）ＤＢ
１０５  音声認識（データベース）ＤＢ  
１０６  顔認識（データベース）ＤＢ
１０７  デバイス
【図１】
2019169976.tif 000003